(57)【特許請求の範囲】
【請求項１】
当該システムへと投射物を推進させたユーザに向かって該推進投射物を戻すシステムであって、
上部及び２つの側部を備えるフレームと、
前記上部及び前記２つの側部に対して取付け可能であるネットとを含み、
該ネットは、上部前方膨張部と前記フレームの前記２つの側部に亘る下部Ｕ字型チャネル部とを定め、
前記ネットへと推進された投射物は、前記下部Ｕ字型チャネル部の最下中心点から前記ユーザに向かって戻るよう放出され、
前記ネットは、膨張上部と、矩形下部と、前記膨張上部及び前記矩形下部よりも狭いテイパされた中央部とを備える、食パン形状を有する、
システム。
【請求項２】
前記ネットの前記膨張上部は、前記ネットの前記矩形下部より幅広い、請求項１に記載のシステム。
【請求項３】
前記ネットは更に、互いに対して平行であり且つ同一の幅を有する上部エッジ及び下部エッジを備える、請求項１に記載のシステム。
【請求項４】
前記ネットの前記膨張上部及び前記中央部及び前記上部エッジは、前記フレームの前記上部及び前記２つの側部に対して取り付けるよう連続的なスリーブを有する、請求項３に記載のシステム。
【請求項５】
前記スリーブは、共に接続される複数のスリーブ要素を有する、請求項４に記載のシステム。
【請求項６】
前記スリーブ要素の各々は、前記フレーム上の前記スリーブ要素の位置からの望ましくない移動を最小限化するよう、前記フレームの前記上部及び前記２つの側部に亘ってスリーブ接続されるよう形成及び寸法決定される、請求項５に記載のシステム。
【請求項７】
前記フレームは更に、前記フレームを直立位置において支持するよう構成される下部を有する、請求項１に記載のシステム。
【請求項８】
前記フレームの前記側部の各々は、Ｓ字形状である、請求項１に記載のシステム。
【請求項９】
前記フレームは、前記フレームを形成するよう互いに対して相互接続可能である複数の管状要素を含む、請求項１に記載のシステム。
【請求項１０】
前記フレームは更に、前記複数の管状要素を互いに対して相互接続するための手段を含む、請求項９に記載のシステム。
【請求項１１】
前記相互接続手段は、各管状要素にテイパ端部及び非テイパ端部を含み、
前記管状要素の各々の前記テイパ端部は、他方の前記管状要素の前記非テイパ端部内に挿入されるよう構成される、請求項１０に記載のシステム。
【請求項１２】
前記相互接続手段は更に、前記管状要素の各々の前記テイパ端部においてプッシュボタンを、並びに前記非テイパ端部において開口を含み、前記プッシュボタンは、前記管状要素の一方の前記テイパ端部を他方の前記管状要素の非テイパ端部内に挿入する際に前記開口へとはめ込まれるよう構成される、請求項１１に記載のシステム。
【請求項１３】
前記フレームは更に、前記複数の管状要素の相互接続を容易化する手段を有する、請求項１２に記載のシステム。
【請求項１４】
前記容易化する手段は、相互接続される前記複数の管状要素の各組の対応する端部に複数の一致するマークを有する、請求項１３に記載のシステム。
【請求項１５】
前記複数の一致するマークは、複数の一致する色を有する、請求項１４に記載のシステム。
【請求項１６】
前記複数の管状要素は、１４個の管状要素を有する、請求項９に記載のシステム。
【請求項１７】
前記フレームの前記上部は、第１の端部及び第２の端部を備える上部前部横断部材と、第１の端部及び第２の端部を各々が備える第１及び第２の上部後方延在水平部材とを含み、前記上部前部横断部材の前記第１の端部は、前記第１の上部後方延在水平部材の前記第１の端部に対して相互接続可能であり、前記上部前部横断部材の前記第２の端部は、前記第２の上部後方延在水平部材の前記第１の端部に対して相互接続可能である、請求項４に記載のシステム。
【請求項１８】
前記フレームの前記側部の各々は、第１の端部及び第２の端部を備える上部下方延在垂直部材と、第１の端部及び第２の端部を備える中間下方延在及び前方傾斜部材と、第１の端部及び第２の端部を備える下部下方延在垂直部材とを含み、前記第１又は第２の上部後方延在水平部材の前記第２の端部は、前記上部下方延在垂直部材の前記第１の端部に対して相互接続可能であり、前記上部下方延在垂直部材の前記第２の端部は、前記中間下方延在及び前方傾斜部材の前記第１の端部に対して相互接続可能であり、前記中間下方延在及び前方傾斜部材の前記第２の端部は、前記下部下方延在垂直部材の前記第１の端部に対して接続可能である、請求項１７に記載のシステム。
【請求項１９】
第１及び第２の上部下方延在垂直部材と、第１及び第２の中間下方延在及び前方傾斜部材と、第１及び第２の下方延在垂直部材とを有する、請求項１８に記載のシステム。
【請求項２０】
前記フレームは更に、該フレームを直立位置において支持するよう構成される下部を含み、該下部は、第１の端部及び第２の端部を各々が備える第１及び第２の下部後方延在水平部材と、第１の端部及び第２の端部を備える下部後部横断部材とを含み、前記下部下方延在垂直部材の各々の前記第２の端部は、前記第１又は第２の下部後方延在水平部材の前記第１の端部に対して相互接続可能であり、前記第１又は第２の下部後方延在水平部材の各々の前記第２の端部は、前記下部後部横断部材の前記第１及び第２の端部に対して接続可能である、請求項１９に記載のシステム。
【請求項２１】
前記ネットの前記上部エッジは、前記フレームの前記上部前部横断部材に亘ってスリーブ接続され且つ位置付けられるよう構成され、前記ネットの前記上部は、前記フレームの前記第１及び第２の上部後方延在水平部材並びに前記第１及び第２の上部下方延在垂直部材に亘ってスリーブ接続され且つ位置付けられるよう構成され、前記ネットの前記中央部は、前記フレームの前記第１及び第２の中間下方延在及び前方傾斜部材並びに前記第１及び第２の下部下方延在垂直部材に亘ってスリーブ接続され且つ位置付けられるよう構成される、請求項２０に記載のシステム。
【請求項２２】
前記ネットは更に、波状効果を与えるよう前記上部前方膨張部において複数のプリーツを有する、請求項１に記載のシステム。
【請求項２３】
前記ネットは、１２．７ミリメートルの四角穴を有する四角形パターンを有する、請求項１記載のシステム。
【請求項２４】
前記ネットは、０．０９２９平方メートル当たり３１．１８５グラムの重量を有する、請求項１に記載のシステム。
【請求項２５】
前記ネットは更に、樹脂コーティングを塗布される、請求項１に記載のシステム。
【請求項２６】
前記ネットは、四角形パターンを有し、該四角形パターンは、前記ネットの前記上部前方膨張部において水平方向及び垂直方向に位置合せされ、また、該四角形パターンは、前記ネットの前記下部のＵ字型のチャネル部の対向する端部において菱形になるよう歪められる、請求項１に記載のシステム。
【請求項２７】
前記フレームの前記側部の各々は更に、当該システムに対して追加的な前方安定性を与えるよう前方延在水平要素を含む、請求項１８に記載のシステム。
【請求項２８】
前記前方延在水平要素は、前記下部下方延在垂直部材から延在する、請求項２７に記載のシステム。
【請求項２９】
前記フレームの前記側部の各々は更に、前記フレームの揺れを低減するために追加的な支持を与えるよう横断方向延在水平要素を含む、請求項１９に記載のシステム。
【請求項３０】
前記横断方向延在水平要素は、前記第１及び第２の下部下方延在垂直部材から延在する、請求項２９に記載のシステム。
【請求項３１】
前記第１及び第２の上部後方延在水平部材は、前記第１及び第２の下部後方延在水平部材より短い、請求項２０に記載のシステム。
【請求項３２】
前記ネットの前記上部前方膨張部は、後方方向において角度をつけられる、請求項１に記載のシステム。
【請求項３３】
当該システムへと投射物を推進させたユーザに向かって該推進投射物を戻すシステムであって、
フレームと、ネットとを含み、
前記フレームは、
第１及び第２の端部を備える上部前部横断部材と、
第１の端部及び第２の端部を各々が備える第１及び第２の上部後方延在水平部材と、
第１の端部及び第２の端部を各々が備える第１及び第２の上部下方延在垂直部材と、
第１の端部及び第２の端部を各々が備える第１及び第２の中間下方延在及び前方傾斜部材と、
第１の端部及び第２の端部を各々が備える第１及び第２の下部下方延在垂直部材と、
第１の端部及び第２の端部を各々が備える第１及び第２の下部後方延在水平部材と、
第１及び第２の端部を備える下部後部横断部材とを含み、
前記上部前部横断部材の前記第１の端部は、前記第１の上部後方延在水平部材の前記第１の端部に対して相互接続可能であり、前記上部前部横断部材の前記第２の端部は、前記第２の上部後方延在水平部材の前記第１の端部に対して接続可能であり、前記第１及び第２の上部後方延在水平部材の各第２の端部は、前記第１及び第２の上部下方延在垂直部材の各第１の端部に対して相互接続可能であり、前記第１及び第２の上部下方延在垂直部材の各第２の端部は、前記第１及び第２の中間下方延在及び前方傾斜部材の各第１の端部に対して相互接続可能であり、前記第１及び第２の中間下方延在及び前方傾斜部材の各第２の端部は、前記第１及び第２の下部下方延在垂直部材の各第１の端部に対して接続可能であり、前記第１及び第２の下部下方延在垂直部材の各第２の端部は、前記第１及び第２の下部後方延在水平部材の各第１の端部に対して接続可能であり、前記第１の下部後方延在水平部材の前記第２の端部は、前記下部後部横断部材の前記第１の端部に対して相互接続可能であり、前記第２の下部後方延在水平部材の前記第２の端部は、前記下部後部横断部材の前記第２の端部に対して相互接続可能であり、
前記ネットは、上部前方膨張部及び下部のＵ字型のチャネル部を定め、膨張上部と、矩形下部と、前記膨張上部及び前記矩形下部よりも狭いテイパされた中央部と、互いに平行であり且つ同一の幅を有する上部エッジ及び下部エッジとを備える、食パン形状を有し、
前記ネットの前記上部エッジは、前記フレームの前記上部前部横断部材に亘ってスリーブ接続され且つ位置付けられるよう構成され、前記ネットの前記上部は、前記フレームの前記第１及び第２の上部後方延在水平部材並びに前記第１及び第２の上部後方延在垂直部材に亘ってスリーブ接続され且つ位置付けられるよう構成され、前記ネットの前記中央部は、前記フレームの前記第１及び第２の中間下方延在及び前方傾斜部材並びに前記第１及び第２の下部下方延在垂直部材に亘ってスリーブ接続され且つ位置付けられるよう構成され、前記ネットへと推進された投射物が前記Ｕ字型チャネル部の最下中心点から前記ユーザに向かって戻るよう放出されるようにする、
システム。
【請求項３４】
投射物を推進させたユーザに向かって該推進投射物を戻す方法であって、
上部及び２つの側部を備えるフレームを提供するステップと、
膨張上部と、矩形下部と、前記膨張上部及び前記矩形下部よりも狭いテイパされた中央部と、互いに平行であり且つ同一の幅を有する上部エッジ及び下部エッジとを備える、食パン形状を有し、前記フレームの前記上部及び前記２つの側部に対して取付け可能であり、後方方向において角度をつけられる上部前方膨張部及び前記フレームの前記２つの側部にわたる下部のＵ字型のチャネル部を画定するネットを提供するステップとを含み、
前記ネットの上部前方膨張部へと推進された投射物のエネルギは前記ネット内に吸収され、前記ネットは前記推進投射物の方向において動き、
前記ネットはその当初位置まで戻され、前記投射物をその推進方向に対向する方向において前記ネットの前記下部のＵ字型のチャネル部へと動かすことを可能にし、
前記投射物は前記ネットの前記Ｕ字型チャネル部の最下中心点で前記ユーザに向かって戻すよう放出される、
方法。
【請求項３５】
前記フレームの前記上部は、第１及び第２の端部を備える上部前部横断部材と、第１及び第２の端部を各々が備える第１及び第２の上部後方延在垂直部材とを含み、前記上部前部横断部材の前記第１の端部は、前記第１の上部後方延在水平部材の前記第１の端部に対して接続可能であり、前記上部前部横断部材の前記第２の端部は、前記第２の上部後方延在水平部材の前記第１の端部に対して接続可能である、請求項３４記載の方法。
【請求項３６】
前記フレームの前記側部の各々は、
第１の端部及び第２の端部を備える上部下方延在垂直部材と、
第１の端部及び第２の端部を備える中間下方延在及び前方傾斜部材と、
第１の端部及び第２の端部を備える下部下方延在垂直部材とを含み、
前記第１又は第２の上部後方延在水平部材の前記第２の端部は、前記上部下方延在垂直部材の前記第１の端部に対して相互接続可能であり、前記上部下方延在垂直部材の前記第２の端部は、前記中間下方延在及び前方傾斜部材の前記第１の端部に対して接続可能であり、前記中間下方延在及び前方傾斜部材の前記第２の端部は、前記下部下方延在垂直部材の前記第１の端部に対して相互接続可能である、
請求項３５に記載の方法。
【請求項３７】
第１及び第２の上部下方延在垂直部材と、第１及び第２の中間下方延在及び前方傾斜部材と、第１及び第２の下方延在垂直部材とを有する、請求項３６に記載の方法。
【請求項３８】
前記フレームは更に、該フレームを直立位置において支持するよう構成される下部を含み、該下部は、
第１の端部及び第２の端部を各々が備える第１及び第２の下部後方延在水平部材と、
第１の端部及び第２の端部を備える下部後部横断部材とを含み、
前記下部下方延在垂直部材の各々の前記第２の端部は、前記第１又は第２の下部後方延在水平部材の前記第１の端部に対して接続可能であり、前記第１又は第２の下部後方延在水平部材の各々の前記第２の端部は、前記下部後部横断部材の前記第１及び第２の端部に対して接続可能である、
請求項３７記載の方法。
【請求項３９】
前記ネットの前記上部エッジは、前記フレームの前記上部前部横断部材に亘ってスリーブ接続され且つ位置付けられるよう構成され、前記ネットの前記上部は、前記フレームの前記第１及び第２の上部後方延在水平部材並びに前記第１及び第２の上部下方延在垂直部材に亘ってスリーブ接続され且つ位置付けられるよう構成され、前記ネットの前記中間部は、前記フレームの前記第１及び第２の中間下方延在及び前方傾斜部材並びに前記第１及び第２の下部下方延在垂直部材に亘ってスリーブ接続され且つ位置付けられるよう構成される、請求項３８に記載の方法。
【請求項４０】
前記ネットは、１２．７ミリメートルの四角穴を有する四角形パターンを有する、請求項３４に記載の方法。
【請求項４１】
前記Ｕ字型チャネルの前記最下中心点は、前記フレームが置かれる表面から一定の距離にあり、前記フレームの前記２つの側部は、前記地面からの前記Ｕ字型チャネルの前記最下中心点との前記一定の距離を低減させるよう互いに向かう方向に押される、請求項３４に記載の方法。
【請求項４２】
前記Ｕ字型チャネルの前記最下中心点は、前記フレームが置かれる前記表面から一定の距離にあり、前記フレームの前記２つの側部は、前記地面からの前記Ｕ字型チャネルの前記最下中心点との前記所定の距離を増大させるよう互いから離れる方向に押される、請求項３４に記載の方法。
【請求項４３】
当該システムへと投射物を推進させたユーザに向かって該推進投射物を戻すシステムであって、
上部前方膨張部及び下部のＵ字型のチャネル部を画定する、フレームにわたって、またフレーム上において備え付けられるよう適合されたネット、
を有し、
該ネットへと推進された投射物は、前記Ｕ字型チャネル部の最下中心点から前記ユーザに向かって戻るよう放出され、
前記ネットは、膨張上部と、矩形下部と、前記膨張上部及び前記矩形下部よりも狭いテイパされた中央部と、互いに平行であり且つ同一の幅を有する上部エッジ及び下部エッジとを有する、食パン形状を有する、
システム。
【請求項４４】
前記フレームは、
第１及び第２の端部を有する上部前部横断部材と、
各々が第１の端部及び第２の端部を備える第１及び第２の上部後方延在水平部材と、
各々が第１の端部及び第２の端部を有する第１及び第２の上部下方延在垂直部材と、
各々が第１の端部及び第２の端部を有する第１及び第２の中間下方延在及び前方傾斜部材と、
各々が第１の端部及び第２の端部を有する第１及び第２の下部下方延在垂直部とを含み、
前記上部前部横断部材の前記第１の端部は、前記第１の上部後方延在水平部材の前記第１の端部に対して相互接続可能であり、前記第２の上部前部横断部材の前記第２の端部は、前記上部後方延在水平部材の前記第１の端部に対して接続可能であり、前記上部前部横断部材の前記第１の端部は、前記第１の上部後方延在水平部材の前記第１の端部に対して相互接続可能であり、前記上部前部横断部材の前記第２の端部は、前記第２の上部後方延在水平部材の前記第１の端部に対して接続可能であり、前記第１及び第２の上部後方延在水平部材の各第２の端部は、前記第１及び第２の上部下方延在垂直部材の各第１の端部に対して接続可能であり、前記第１及び第２の上部下方延在垂直部材の各第２の端部は、前記第１及び第２の中間下方延在及び前方傾斜部材の各第１の端部に対して接続可能であり、前記第１及び第２の中間下方延在及び前方傾斜部材の各第２の端部は、前記第１及び第２の下部下方延在垂直部材の各第１の端部に対して接続可能であり、
前記ネットの前記上部エッジは、前記フレームの前記上部前部横断部材に亘ってスリーブ接続され且つ位置付けられるよう構成及び適合され、前記ネットの前記上部は、前記フレームの前記第１及び第２の上部後方延在水平部材及び前記第１及び第２の上部下方延在垂直部材に亘ってスリーブ接続され且つ位置付けられるよう構成及び適合され、前記ネットの前記中央部は、前記フレームの前記第１及び第２の中間下方延在及び前方傾斜部材、並びに前記第１及び第２の下部下方延在垂直部材に亘ってスリーブ接続され且つ位置付けられるよう構成及び適合される、
請求項４３に記載のシステム。
【請求項４５】
前記ネットは更に、波状効果を与えるよう前記上部前方膨張部に複数のプリーツを有する、請求項４３に記載のシステム。
【請求項４６】
前記ネットは、１２．７ミリメートルの四角穴の四角形パターンを有する、請求項４３に記載のシステム。
【請求項４７】
前記ネットは、０．０９２９平方メートル当たり３１．１８５グラムの重量を有する、請求項４３に記載のシステム。
【請求項４８】
前記ネットは更に、樹脂コーティングを塗布される、請求項４３に記載のシステム。
【請求項４９】
前記ネットは、四角形パターンを有し、該四角形パターンは、前記ネットの前記上部前方膨張部において水平方向及び垂直方向に位置合せされ、また、該四角形パターンは、前記ネットの前記下部のＵ字型のチャネル部の対向する端部で菱形になるよう歪められる、請求項４３に記載のシステム。
【請求項５０】
前記ネットの前記上部前方膨張部は、後方方向において角度をつけられる、請求項４３に記載のシステム。
【発明の詳細な説明】
【技術分野】
【０００１】
本発明は、マルチスポーツボール／ディスクリターンネットシステム及びその方法に係る。具体的には、本発明は、持ち運び可能であり且つネットへと推進された（ｐｒｏｐｅｌｌｅｄ）ボール、ディスク、又は他のスポーツの投射物（ｓｐｏｒｔｓ  ｐｒｏｊｅｃｔｉｌｅ）をユーザに向かって直接戻す向上されたネットを有する向上されたリターンネットシステムに係る。
【背景技術】
【０００２】
ボール／ディスクを使用するスポーツにとって、人がボール／ディスクと接触して（即ち打つ、蹴る、投げる、あるいはぶつけることによって）それをある方向に推進させて練習する、ことは一般的である。練習中の反復は、所望される方向にボール／ディスクを推進させるよう適切な方途においてボール／ディスクと接触することにおける精度を達成する支援をする。ボール／ディスクを打つ、蹴る、投げる、あるいはぶつけるという練習を可能にするよう、既知のシステムは典型的に、ユーザが常にボール／ディスクを回収して、ボール／ディスクが反復的に打たれること、蹴られること、投げられること、又はぶつけることを可能とする、ことを要求する。
【０００３】
これを達成する１つの方途は、他の人にボール／ディスクをキャッチさせて、それをヒッターに戻させること、である。これを達成する他の方途は、ネットシステムを利用すること、である。特定の既知の先行技術によるネットシステムは、矩形のフレーム及び該フレームにわたって備え付けられるネット（ｎｅｔ  ｍｏｕｎｔｅｄ  ａｃｒｏｓｓ  ｔｈｅ  ｆｒａｍｅ）を有する。ネットへと打ち込まれたボール／ディスクは、跳ね返るが、ボール／ディスクがネットの平面に対して正確に法線である角度においてネットに当たらない限り、通常はユーザに対して真っ直ぐに跳ね返るわけではない。したがって、かかる先行技術によるネットシステムのユーザは、不利益なことに、戻されたボール／ディスクをキャッチ又は回収するよう様々な位置まで常に動かなければならない。かかる先行技術によるシステムの例は、米国特許第４，９０５，９９６号（特許文献１）及び第５，２６９，５２７号（特許文献２）において開示される。
【０００４】
他の既知の先行技術によるネットシステムは、ボールを収集するようポケット形状に構成されるネットを利用し、ボールは成形滑降斜面路（ｆｏｒｍｅｄ  ｃｈｕｔｅｓ）を介してユーザまで戻され得る。滑降斜面路等である付加構造及び部品の必要性は、不利益なことに、かかる先行技術のシステムを運搬又は組立てに困難なものとする。かかる先行技術によるシステムの例は、米国特許第２，８０５，０７０号（特許文献３）及び第６，６２０，０６４号（特許文献４）において開示される。
【０００５】
一般的に、既知の先行技術によるネットシステムは、不利益なことに、異なる各種のスポーツに対して特別なシステムを必要とする。大半の先行技術によるネットシステムは、特定のスポーツに対して寸法を決定された穴を有するネットを備える。例えば、特定のかかるネットは、ゴルフに対しては７／８インチ（７／８’’、約２２．２２４９ミリメートル）の穴を、サッカーに対しては４インチ（４’’、約１０１．６ミリメートル）の穴を、あるいは、ラクロス及び野球に対しては９／８インチ（１−１／８’’、約２８．５７５ミリメートル）の穴を有する。また、大半の先行技術によるネットシステムは、複数の異なる種類のスポーツボール／ディスクを使用するには適切ではない軽量ネットを使用している。
【先行技術文献】
【特許文献】
【０００６】
【特許文献１】米国特許第４，９０５，９９６号
【特許文献２】米国特許第５，２６９，５２７号
【特許文献３】米国特許第２，８０５，０７０号
【特許文献４】米国特許第６，６２０，０６４号
【発明の概要】
【発明が解決しようとする課題】
【０００７】
したがって、容易に組立て及び運搬され得、且つボール、ディスク、又は他のスポーツ投射物をユーザに対して戻して、戻されたボール／ディスク／投射物を回収するために求められるユーザによる努力を最小限にするかあるいは無くすようにする、持ち運び可能なマルチスポーツボール／ディスクリターンネットシステムが必要とされる。
【課題を解決するための手段】
【０００８】
本発明は、向上されたネットを有するマルチスポーツボール／ディスクリターンネットシステム及びその方法を与え、当該発明は、打ちこまれたり、蹴りこまれたり、投げこまれたり、ぶつけられたりしたボール、ディスク、又は他の投射物を常にユーザに対して真っ直ぐに戻し、また、持ち運び可能であり且つ組立て及び分解が容易である。
【０００９】
本発明のマルチスポーツボール／ディスクリターンネットシステムは、フレームと、フレーム上においてあるいはフレームにわたって備え付けられるネットと、を有する。該ネットは、上部Ｕ字型前方膨張ピロー（ｕｐｐｅｒ  Ｕ−ｓｈａｐｅ  ｆｏｒｗａｒｄ  ｂｕｌｇｉｎｇ  ｐｉｌｌｏｗ）及び下部Ｕ字型チャネル又はハンモック（ｌｏｗｅｒ  Ｕ−ｓｈａｐｅ  ｃｈａｎｎｅｌ  ｏｒ  ｈａｍｍｏｃｋ）を形成する。Ｕ字型ピローへと推進されたボール／ディスクは、Ｕ字型チャネルまで落下し、Ｕ字型チャネルはユーザに向かって放出するようＵ字型チャネルの最下中心点までボールを進ませる。
【００１０】
マルチスポーツボール／ディスクリターンネットシステムのフレームは、実質的に垂直である相互接続可能な複数の管状部材を有する。該管状部材は、接続されるとき、Ｓ字型側部形状を備える直立フレームを形成する。フレームの複数の管状部材は、上部前部横断部材（ｕｐｐｅｒ  ｆｒｏｎｔ  ｔｒａｎｓｖｅｒｓｅ  ｍｅｍｂｅｒ）を有する。該上部前部横断部材の各端部は、上部後方延在水平部材（ｕｐｐｅｒ  ｒｅａｒｗａｒｄｌｙ  ｅｘｔｅｎｄｉｎｇ  ｈｏｒｉｚｏｎｔａｌ  ｍｅｍｂｅｒ）に対して接続されるよう構成される。該上部後方延在水平部材の各遠位端部は、上部下方延在垂直部材（ｕｐｐｅｒ  ｄｏｗｎｗａｒｄｌｙ  ｅｘｔｅｎｄｉｎｇ  ｖｅｒｔｉｃａｌ  ｍｅｍｂｅｒ）に対して接続されるよう構成される。該上部下方延在垂直部材の各遠位端部は、中間下方延在及び前方傾斜部材（ｉｎｔｅｒｍｅｄｉａｔｅ  ｄｏｗｎｗａｒｄｌｙ  ｅｘｔｅｎｄｉｎｇ  ａｎｄ  ｆｏｒｗａｒｄｌｙ  ｉｎｃｌｉｎｅｄ  ｍｅｍｂｅｒ）に対して接続されるよう構成される。中間下方延在及び前方傾斜部材の各遠位端部は、下部（ｌｏｗｅｒ）下方延在垂直部材に対して接続されるよう構成される。該下部下方延在垂直部材の各遠位端部は、下部後方延在水平部材に対して接続されるよう構成される。該下部後方延在水平部材の遠位端部は、下部後部横断部材の２つの端部の一方に対して接続されるよう構成される。
【００１１】
マルチスポーツボール／ディスクリターンネットシステムのネットの一実施例は、実質的に二等辺四辺形を備える。ネットのより長い平行なエッジは、上部前部横断部材及び一組の上部水平部材上にあるいはそれらにわたってスリーブされる（ｓｌｅｅｖｅｄ）。ネットの各側部エッジは、一組の上部垂直部材の一方、中間傾斜部材、及び下部垂直部材にわたってスリーブされる。
【００１２】
マルチスポーツボール／ディスクリターンネットシステムのネットの他の実施例は、より幅広い上部膨張部、より幅広い下部矩形部、及びより狭いテイパされた中央部を有する一般的なパン形状（ｇｅｎｅｒａｌｌｙ  ｂｒｅａｄ  ｓｈａｐｅ）備える。上部は、下部より幅が更に広い。上部及び下部エッジは、実質的に互いに対して平行であり、実質的に同一の幅であり、上部平行エッジは、上部前部横断部材にわたってスリーブされる。より幅広い上部は、上部水平部材及び上部垂直部材にわたってスリーブされる。中央のより狭い部分は、中間傾斜部材及び下部垂直部材にわたってスリーブされる。
【００１３】
本発明のマルチスポーツボール／ディスクリターンネットシステムは、例えば、ゴルフ、アメリカンフットボール（パント及びプレイスキック）、サッカー、野球（打撃及び投球）、ソフトボール（打撃及び投球）、ラクロス、ストリートホッケー、バスケットボール、バレーボール、バドミントン、テニス、フィールドホッケー、アイスホッケー、ローラーホッケー、ラケットボール、ハンドボール、卓球、ボッセボール、ラグビー、スカッシュ、クリケット、ハイアライ、パドルボール、円盤投げ又は砲丸投げ、あるいは、ボール、ディスク、又は他の投射物を用いる他のスポーツにおいて、ボール、ディスク、又は他のスポーツ投射物をユーザに対して常に戻すよう使用され得る。
【００１４】
本発明の望ましい実施例は、図示及び説明を目的として選択されており、本願の一部を形成する添付の図面において示される（実寸大ではない）。
【図面の簡単な説明】
【００１５】
【図１】本発明の一実施例のマルチスポーツボール／ディスクリターンネットシステムのフレームの上面斜視図である。
【図２】本発明の一実施例のマルチスポーツボール／ディスクリターンネットシステムのネットの正面図である。
【図３】本発明の一実施例のマルチスポーツボール／ディスクリターンネットシステムの組立て中に上部前部横断部材においてコンパクトにされたネットの正面図である。
【図４】本発明の一実施例のマルチスポーツボール／ディスクリターンネットシステムの正面図である。
【図５】本発明の一実施例のマルチスポーツボール／ディスクリターンネットシステムの側面図である。
【図６】本発明のマルチスポーツボール／ディスクリターンネットシステムの一実施例のネット上に形成されるＵ字型チャネルの詳細図である。
【図７】本発明の一実施例のボール／ディスクリターンネットシステムのネットへと打ちこまれ、該ネットによって戻される、ボールの連続（順序）を図示する。
【図８】本発明の一実施例のボール／ディスクリターンネットシステムのネットへと打ちこまれ、該ネットによって戻される、ボールの連続（順序）を図示する。
【図９】フック及びコードを有するＵ字型チャネルのつり上げを示す詳細図である。
【図１０】フック及びコードを有する衝突域の角度付けを示す詳細図である。
【図１１】角度をつけられた衝突域を有する本発明の一実施例のマルチスポーツボール／ディスクリターンネットシステムの側面図である。
【図１２】本発明のマルチスポーツボール／ディスクリターンネットシステムの他の実施例の正面図である。
【図１３】図１２中のマルチスポーツボール／ディスクリターンネットシステムのネットの正面図である。
【図１４】図１２中のマルチスポーツボール／ディスクリターンネットシステムの上面図である。
【図１５】図１２中のマルチスポーツボール／ディスクリターンネットシステムの側面図である。
【図１６】図１２中のマルチスポーツボール／ディスクリターンネットシステムのフレームの追加的な安定化部材の詳細な側面斜視図である。
【図１７】図１２中のマルチスポーツボール／ディスクリターンネットシステムのフレーム及びスリーブ要素の上面斜視図である。
【図１８】図１２中のマルチスポーツボール／ディスクリターンネットシステムのＵ字型前方膨張ピローにおけるネットの拡大図である。
【図１９】図１２中のマルチスポーツボール／ディスクリターンネットシステムの下部Ｕ字型チャネル又はハンモックにおけるネットの拡大図である。
【発明を実施するための形態】
【００１６】
同一の要素は一貫して同一の参照符号で図示される図面を参照すると、図１は、本発明のマルチスポーツボール／ディスクリターンネットシステム１０のフレーム２０を示す。
【００１７】
図１に示される通り、マルチスポーツボール／ディスクリターンネットシステム１０のフレーム２０は、相互接続可能である複数の管状要素２２を有して構成される。図１に示される実施例は、１４個の管状要素２２（管状要素２２ａ、２２ｂ、２２ｃ、２２ｄ、２２ｅ、２２ｆ、及び２２ｇを各２つずつ）を備える。管状要素２２は、アルミニウム、プラスチック又はポリ塩化ビニル（ＰＶＣ）、あるいは他の適切な材料等である軽量の材料を有して作られ得る。各管状要素２２は、他の管状要素２２の非テイパ（テイパされていない）端部へと嵌るよう１つのテイパ端部を備え得る。管状要素２２は、スナップ嵌め合い又は摩擦嵌め合い等である管状要素を接続するよう既知である如何なる方法によってでも相互接続され得る。管状要素２２はまた、非テイパ端部において対応する開口を有するテイパ端部におけるプッシュボタンの使用によって相互接続され得る。
【００１８】
フレーム２０の組立体を更に促進するよう、相互接続の各ポイントにおいて管状要素２２の各組の対応する端部は、相互接続ポイント２６において合致するカラーバンド２４ａ及び２４ｂが示される通り、合致するカラーコード又はバンドを備える。管状要素２２のカラーコーディングによってユーザは、相互接続を形成するよう合致する色を備える管状要素２２を単純に（例えば赤色を赤色に、青色を青色に）接合し得る。図１中の実施例に関しては、１４個のカラーコード又はバンドが必要とされる（図示せず）。相互接続を形成するために管状要素２２を合致させることを容易にするよう、他の種類の合致マーク（ｍａｔｃｈｉｎｇ  ｉｎｃｉｄｉａ）が使用されてもよい。
【００１９】
相互接続のポイントにおける管状要素２２のカラーコーディングは、マルチスポーツボール／ディスクリターンネットシステム１０のフレーム２０の組立て及び分解を容易にし、該システム１０を異なる場所まで容易且つ迅速に持ち運び可能にする。図１に示される通りにフレーム２０を分解するには、約５分かかる。
【００２０】
相互接続可能である管状要素２２は、図１に示される通り、フレーム２０を形成するよう組立てられる。２つの管状要素２２ａは、上部前部横断部材２８を形成するよう相互接続可能である。２つの管状要素２２ａの遠位端部は、一組の平行な上部後方延在水平部材３２を形成するよう管状要素２２ｂと相互接続可能である。２つの管状要素２２ｂの各遠位端部は、一組の平行な上部下方延在垂直部材３４を形成するよう管状要素２２ｃと相互接続可能である。２つの管状要素２２ｃの各遠位端部は、一組の平行な中間下方延在及び前方傾斜部材３６を形成するよう管状要素２２ｄと相互接続可能である。２つの管状要素２２ｄの各遠位端部は、一組の平行な下部下方延在垂直部材３８を形成するよう管状要素２２ｅと相互接続可能である。２つの管状要素２２ｅの各遠位端部は、一組の平行な下部後方延在水平部材４２を形成するよう管状要素２２ｆと相互接続可能である。２つの管状要素２２ｇは、下部後部横断部材４４を形成するよう相互接続可能である。２つの管状要素２２ｆの各遠位端部は、形成された下部後部横断部材４４の端部の一方と相互接続可能である。
【００２１】
図５に示される通り、フレーム２０は、Ｓ字型側部形状を備える。上部前部横断部材２８は、下部垂直部材３８と実質的に垂直方向の一直線上にあり、下部後部横断部材４４は、上部垂直部材３４と実質的に垂直方向の一直線上にある。この構造により、フレーム２０は、追加的な備付け又は安定化要素を有することなく自立（自己支持）し得る。しかしながら、サンドバック等である１つ又はそれより多くの安定化要素又はウエイト（加重）は、フレーム２０に対して更なる安定性を加えるよう用いられてもよい、ことが理解されるべきである。
【００２２】
フレーム２０は、ボールリターンネットシステム１０が使用されるスポーツの種類、ボールリターンネットシステム１０が使用されている空間又は場所に依存して、多種の寸法を備え得る。図１及び３に示される実施例は、幅８フィート（８’、約２４３．８４センチメートル）、高さ７フィート５インチ（７’５’’、約２２６．０６センチメートル）、及び奥行き３８インチ（３８’’、約９６５．１９９ミリメートル）を備える。かかる一実施例において、直径１．５インチ（１．５’’、約３８．０９９ミリメートル）である軽量アルミニウム管状要素２２が使用される場合、フレーム２０は、重さ約２０ポンド（２０ｌｂｓ、約９．０７２ｋｇ）である。分解されるとき、管状要素２２は、長さ約５５インチ（５５’’、約１３９７ミリメートル）及び直径１２インチ（１２’’、約３０４．７９９ミリメートル）の袋に容易に収まり得るため、ネットリターンシステム１０は容易に運搬可能なものとなる。
【００２３】
図２は、本発明のマルチスポーツボール／ディスクリターンネットシステム１０のネット３０の一実施例を示す。ネット３０は、実質的に二等辺四辺形形状を備える。ネット３０のより長い平行エッジ４６及び側部エッジ４８の各々は、ネット３０をフレーム２０上へと備え付けるようスリーブ５２を備える。
【００２４】
ネット３０のより長い平行エッジ４６の幅は、上部前部横断部材２８及び一組の平行な上部水平部材３２の全長と同一であるかあるいはそれより僅かに長い。ネット３０の高さは、フレーム２０の高さより高い。図１及び３に示されるフレーム２０に関しては、ネット３０は、より長い平行なエッジ４６において幅１３フィート（１３’、約３９６．２４センチメートル）、より短い平行なエッジ５４において幅９フィート（９’、約２７４．３２センチメートル）、及び高さ１２フィート（１２’、約３６５．７６センチメートル）を備える。ネット３０の寸法は、フレーム２０の寸法に応じて可変であり得る。ネット３０のテイパ角度及び四辺形形状は、以下に記載される通り、可変であり得、僅かに異なるボールリターンネットシステム１０をもたらす。直径１．５インチ（１．５’’、約３８．０９９ミリメートル）である管状要素２２を用いる一実施例において、スリーブ４８は、フレーム２０の管状要素２２に沿った妨害されない動きを可能にするよう、６インチ（６’’、約１５２．３９９ミリメートル）であり得る。
【００２５】
ネット３０のパターン及び規格（ゲージ、ｇａｕｇｅ）は、リターンネットシステム１０に対して使用されるボールの種類及び寸法に依存して可変であり得、例えば、菱形、三角形、四角形、他の多角形又は非多角形であり得る。より重い規格の（ｈｅａｖｉｅｒ  ｇａｕｇｅｄ）ネット３０は、ネット３０へと推進されたり、打ちこまれたり、ぶつけられたりするボールに対してより強い停止力（ａｒｒｅｓｔｉｎｇ  ｆｏｒｃｅ）を与える。より重い規格のネット３０を使用することに対する一代替案として、小さなウエイトは、ネット３０の下部に下げられ得る。
【００２６】
図３に示される通り、ネット３０をフレーム２０上へと備え付けるために、より長い平行なエッジ４６及び側部エッジ４８のスリーブ５２は、上部前部横断部材２８にわたってコンパクトにされ外される（ｃｏｍｐａｃｔｅｄ  ａｎｄ  ｓｌｉｐｐｅｄ）。続いてフレーム２０の残りの部材３２，３４，３６，３８，４２及び４４は、フレーム２０を形成するよう相互接続される。フレーム２０が組み立てられた後、ネット３０は、フレーム２０にわたって備え付けられ、より長い平行なエッジ４６のスリーブ５２は、上部前部横断部材２８及び一組の上部水平部材３２へとスリーブされ、側部エッジ４８の各スリーブ５２は、上部垂直部材３４、中間傾斜部材３６、及び下部垂直部材３８上へとスリーブされる。一実施例において、より短い平行エッジ５４は、ボールリターンネットシステム１０が置かれる床、地面、又は表面上で集まり、下部後部横断部材４４に向かって配置されるかあるいは置かれる。
【００２７】
図４，５及び６は、フレーム２０上に備え付けられたネット３０を有するボールリターンネットシステム１０を示す。図示される実施例において、ネット３０は、フレーム２０上においてあるいはフレーム２０にわたって完全に備え付けられているわけではない、ことが理解されるべきである。フレーム２０及びネット３０の寸法及び構成により、ネット３０は、フレーム２０上にゆるくつられ、一組の中間傾斜部材３６にわたってＵ字型チャネル又はハンモック４０を形成する。Ｕ字型前方膨張ピロー５６は、Ｕ字型チャネル４０の上方及び上部前部横断部材２８の下方にある。Ｕ字型ピロー５６は、ボールリターンネットシステム１０の衝突域（インパクトゾーン）を画定し、Ｕ字型チャネル４０は、ボールリターンネットシステム１０のボールリーターン域を画定する。特定の実施例において、目標（ターゲット）６０は、目標６０へのボール又は他のスポーツ投射物の連続的な（ｃｏｎｓｉｓｔｅｎｔ）打撃、打込み、又は蹴り込みを練習するユーザに対してフィードバックツールとしてネット３０上に与えられるか、あるいは印を付けられ得る。ターゲット６０は、ネット３０のいかなる適切な範囲上へも縫い付けられ得るか、あるいはペイントされ得る。更に、目標６０は、いかなる形状、寸法、又は色であってもよい。
【００２８】
図７及び８に示される通り、ボール５０がネット３０の衝突域を画定するＵ字型ピロー５６へと打ちこまれるとき、Ｕ字型ピロー５６は、衝突に先立つ当初の垂直位置（図５参照）からＸ＋方向へと後方に動く。ネット３０は、動いているボール５０のエネルギを吸収し、Ｘ＋方向においてその前進動作を停止させるようにする。ネット３０がボール５０の衝突に先立ったその当初の位置まで戻る際、ネット３０は、Ｘ−方向においてボール５０を押す。ボール５０は、Ｙ方向においてＵ字型チャネル４０（ボールリターン域）に向かって転がり落ちる。ボール５０がＵ字型チャネル４０の最下中心点に到達するとき、ボール５０は、ネット３０から解放される。ネット３０の揺れ／揺動によって引き起こされるＸ−方向及びＹ方向における組み合わされた力、及び重力は夫々、ボール５０をネット３０へと打ちこんだり、ぶつけたり、蹴りこんだりするユーザに向かって直接転がすよう十分なモーメント及びエネルギをボール５０に備えるようにする。Ｘ−方向及びＹ方向における力の結果としてのボール５０の回転リターンは、戻されるボール５０の速度及び距離を増進する。
【００２９】
ネット３０の衝突域を画定するＵ字形状ピロー５６へと打ちこまれたボール５０は、それが中心にあるかあるいは中心から外れているか否か（Ｕ字型チャネルの中心、左側、又は右側であるかどうか）に関わらず、Ｕ字型チャネル４０に向かって転がり落ち、該Ｕ字型チャネルは続いて、ネット３０の前にいるユーザに対してボール５０の連続的に解放し且つ戻すよう、ボール５０をＵ字型チャネル４０の最下中心点に向かって進ませるかあるいは方向付ける。故にボール５０は、先行技術における通り不規則に戻されることがない。
【００３０】
Ｕ字型チャネル４０へと打ちこまれたボール５０は同様に、ユーザに対して戻るよう、Ｕ字型チャネル４０の最下中心点に向かって進む。衝突域を画定するＵ字型ピロー５６及びＵ字型チャネル４０の下方においてネット３０にぶつかるボール５０は、Ｕ字型チャネル４０の下方における地面又は表面上で集められるネット３０において捕捉されるようになり得る。これは、ボール５０がネット３０の背部に出てしまうこと及び危険な軌道となることを防止する。
【００３１】
一実施例において、ネット３０のＵ字型チャネル４０は、異なるボールに適応するよう、並びに／あるいは異なるリターン効果を達成するよう、調節及び微調整され得る。Ｕ字型チャネル４０の奥行きは、ネット３０のより長い平行なエッジ４６とより短い平行なエッジ５４との間における比率を変えることによって調節され得る。例えば、より長い平行なエッジ４６とより短い平行なエッジ５４との間におけるより小さな比率は、より奥行きのあるＵ字型チャネル４０を与える。Ｕ字型チャネル４０の最下点は、ネット３０の寸法を変えることによって、あるいはＵ字型チャネル４０をつり上げること（ｒａｉｓｉｎｇ）によって、リターンネットシステム１０を支持する地面又は他の表面から１インチ（１’’、約２５．４ミリメートル）乃至１８インチ（１８’’、約４５７．２ミリメートル）離れ得る。Ｕ字型チャネル４０は、フレーム２０の上部垂直部材３４上にフック５８を与えることによって（図１に示される通り）つり上げられ得、フック５８に対して接続されるコード６２は、図９に示される通り、フレーム２０の中間傾斜部材３６に沿って上方向にネット３０の側部エッジ４８のスリーブ５２を引くよう使用され得る。Ｕ字型チャネル４０の最下点をリターンネットシステム１０を支持する地面又は他の表面の上方においてより高くつり上げることによって、これは、サッカーボール等であるより大きなボールのリターンに対して、Ｕ字型チャネル４０を出るボール５０を跳ねさせるよう地面に落下させる。転がって戻ること（ローリングリターン）が跳ねて戻ること（バウンシングリターン）より望ましいとされるゴルフボール等であるより小さなボールのリターンに対して、Ｕ字型チャネル４０の最下点は、かかる跳ねを避けるよう地面に対してより近くに設定され得る。
【００３２】
ネット３０のＵ字型ピロー５６によって画定される衝突域はまた、異なるボールに対して、また異なるリターン効果を達成するよう、調節及び微調整され得る。図１０及び１１において示される通り、衝突域は、略４５度（４５°）の角度において、ネット３０の衝突域を引き戻すよう、フック５８に対して接続されるコードを使用することによって後方に角度をつけられ得る。異なる角度は、ネット３０の衝突域の異なる点から引き戻すことによって達成され得る。ネット３０の衝突域に角度をつけることは、図５中の矢印Ａで示される通り、略垂直上方向の角度において移動するボールがネット３０の表面にわたってかすめること及び飛び越すこと並びにユーザに対して戻されないこと、を防止する。角度をつけられた衝突域を与えることによって、そこに打ちこまれたボール５０は、図１１中の矢印Ｂによって示される通り、ネット３０がエネルギを吸収すること及びボール５０のリターンに対してＵ字型チャネル４０まで転がり落ちる前にボール５０の運動を停止させること、を可能とする。角度をつけられた衝突域は、ボール５０に対して大きなロフト（打ち上げ）をもたらすサンド・ウェッジ又は９番アイアンでゴルフボール５０をショットするユーザに対して優れた働きをする。
【００３３】
ネット３０のより短い平行なエッジ５４は、フック５８に対して接続されるコード６２を使用してより奥行きのあるＵ字型チャネル４０を作るよう地面の上方で完全につり上げられ得る。ネット３０の側部エッジ４８のスリーブ５２の下端部をフレーム２０の中間傾斜部材３６に沿って上方向に引くことによって、Ｕ字型チャネル４０は、ネット３０へと打ちこまれるボール５０を回収する地面上方におけるポケットを形成する。かかるポケットを作ることは、地面が濡れているとき又はぬかるんでいるときに有利である。
【００３４】
図１２，１３，１４，１５，１６，１７，１８及び１９は、フレーム２００及びネット３００を備えるマルチスポーツボール／ディスクリターンネットシステム１００の他の実施例を示す。フレーム２００は、フレーム２０においてと同様に相互接続可能である複数の管状要素２２ａ，２２ｂ，２２ｃ，２２ｄ，２２ｅ，２２ｆ及び２２ｇから構成されるが、管状要素２２ｅ及び２２ｆに対して修正がなされている。
【００３５】
図１５に示される通り、フレーム２００は、フレーム２０の管状要素２２ｆより長さにおいて長い一組の管状要素２２ｆ’を備える。管状要素２２ｆ’のより長い長さは、平行な上部水平部材３２より長い平行な下部水平部材４２’を備えるリターンネットシステム１００をもたらす。より長いあるいは伸張された平行な下部水平部材４２’は、ボール／ディスク５０’がネット３００に衝突するときにリターンネットシステム１００に対して追加的な後方安定性を与える。
【００３６】
図１６において詳細に示される通り、フレーム２００は、フレーム２０における管状要素２２ｅの代わりに一組の管状要素２２ｅ’を備え、各管状要素２２ｅ’は、前方延在水平要素２２０及び横断方向延在水平要素２２２を備える。前方延在水平要素２２０及び横断方向延在水平要素２２２はいずれも、マルチスポーツボール／ディスクリターンネットシステム１００が配置又は支持される地面又は表面に境接する。前方延在水平要素２２０は、衝突直後にボール／ディスク５０’を最初に戻す際にネット３００の重量が前方に移動するとき、リターンネットシステム１００に対して追加的な前方安定性を与える。横断方向延在水平要素２２２は、追加的な支持を与え、フレーム２００の揺れを低減する。例えば、幅８フィート（８’、約２４３．８４センチメートル）、高さ７フィート５インチ（７’５’’、約２２６．０６センチメートル）、及び奥行き３８インチ（３８’’、約９６５．１９９ミリメートル）を備えるフレーム２００に対して、前方延在水平要素２２０は長さ２インチ（２’’、約５０．８ミリメートル）であり得、横断方向延在水平要素２２２は長さ４インチ（４’’、約１０１．６ミリメートル）であり得る。砂袋又は他の適切なウエイトは、リターンネットシステム１００がたとえ強風条件においても安定性があることを確実なものとするよう、横断方向延在水平要素２２２上に配置され得る。
【００３７】
図１３は、図１２中のマルチスポーツボール／ディスクリターンネットシステム１００の実施例のネット３００を示す。図示される実施例において、ネット３００は、より幅広い上部膨張部３０１、より幅広い下部矩形部３０２、及びより狭いテイパされた中央部３０３を有する、一般的なパン形状を備える。上部３０１は、下部３０２より幅が広い。上部エッジ３０４及び下部エッジ３０５は、互いに対して実質的に平行であり、実質的に同一の幅を有する。上部エッジ３０４を含む上部３０１及びより狭い中央部３０３の周囲に沿って、連続的なスリーブ３０６がある。
【００３８】
図１７に示される通り、上部エッジ３０４は、フレーム２００の上部前部横断部材２８にわたってスリーブ及び位置付けするよう寸法を決定される。上部３０１は、フレーム２００の上部水平部材３２及び上部垂直部材３４にわたってスリーブ及び位置付けするよう寸法を決定される。中央部３０３は、フレーム２００の中間傾斜部材３６及び下部垂直部材３８にわたってスリーブ及び位置付けするよう寸法を決定される。図１４に示される通り、一実施例において、下部３０２は、リターンネットシステム１００が置かれる地面上に置かれる。他の実施例において、下部３０２は、１つ又はそれより多くの下部後方延在水平部材４２又は４２’及び下部後部横断部材４４に対して固定又は締付けされ得る。
【００３９】
図１３及び１７に示される通り、スリーブ３０６は、縫い付けられ得るかあるいは共に接続される複数のスリーブ要素３０６ａ，３０６ｂ，３０６ｃ・・・３０６ｌから構成され得る。一実施例において、各スリーブ要素３０６ａ，３０６ｂ，３０６ｃ・・・３０６ｌの各々は、互いに対する正しい組立て、位置合わせ、及び接続を容易にするよう対応するマーカーを有する。スリーブ要素３０６ａ，３０６ｂ，３０６ｃ・・・３０６ｌの各々は、リターンネットシステム１００の最善の機能性を損ね得る位置からのスリーブ要素３０６ａ，３０６ｂ，３０６ｃ・・・３０６ｌの所望されない運動を最小限に抑えるよう、フレーム２００に対して配置される位置に適合するよう寸法決定及び形成される。スリーブ３０６は、ナイロン又は他の適切な材料から作られ得る。スリーブ要素３０６ａ，３０６ｂ，３０６ｃ・・・３０６ｌの各々は、ネット３００に対して縫い付けられ得るか、あるいは接続され得る。ネット３００の上部エッジ３０４は、スリーブ要素３０６ａに対して接続され得、複数のプリーツは、衝突域を画定するU字型ピロー５６’においてネット３００に対して追加的なウエイト及び質量（ｍａｓｓ）を与えるよう波状（又はラッフル）効果をもたらすよう作られる（図１８参照）。伸縮素材（図示せず）の長さ（ａ  ｌｅｎｇｔｈ  ｏｆ  ｅｌａｓｔｉｃ）は、スリーブ要素３０６ａに対して取り付ける前にプリーツ又はラッフル効果を達成するよう、まずネット３００の上部エッジ３０４に対して縫い付けられ得るかあるいは取り付けられ得る。
【００４０】
これより図１８を参照すると、一実施例において、ネット３００は、１／２インチ（１／２’’、約１２．７ミリメートル）の四角形の穴を有する四角形パターンを備える。一実施例において、ネット３００は、１平方フィート当たり約１．１オンス（約３１．１８５グラム）の重量を備える。例えば、幅８フィート（８’、約２４３．８４センチメートル）、高さ７フィート５インチ（７’５’’、約２２６．０６センチメートル）、及び奥行き３６インチ（３６’’、約９１４．４ミリメートル）であるフレーム２００に対して、ネット３００の全重量は、約１０ポンド（１０ｌｂｓ、約４．５３６キログラム）である。ネット３００のより重い規格は、ボール／ディスク５０’を適切に停止させてからユーザに対して戻すよう、その質量を使用してボール／ディスク５０’からの衝突力に効率的に対処する。一実施例において、ボール／ディスク５０’の強い前進動作を停止させることの効率性を更に高めるよう、樹脂コーティングは、その剛性及び質量を増大させるようネット３００に対して塗布（ａｐｐｌｉｅｄ）され得る。一実施例において、ネット３００は、ポリエステル等である合成材料から作られる。一実施例においては、複数のスリーブ要素３０６ａ，３０６ｂ，３０６ｃ・・・３０６ｌは、所定の配列においてネット３００に対して接続され得る。かかる一実施例において、スリーブ要素３０６ａ，３０６ｄ，３０６ｅ，３０６ｊ，３０６ｋ及び３０６ｌは、四角形パターンの水平又は垂直エッジと一直線上においてネット３００に対して取り付けられる。また、スリーブ要素３０６ｂ，３０６ｃ，３０６ｆ，３０６ｇ，３０６ｈ及び３０６ｉは、四角形パターンの対角線位置合わせ（ｄｉａｇｏｎａｌ  ａｌｉｇｎｍｅｎｔ）においてネット３００に対して取り付けられる。
【００４１】
図１２，１３，１４及び１５は、フレーム２００上に備え付けられたネット３００を有するリターンネットシステム１００を示す。ネット３００は、一組の中間傾斜部材３６にわたってＵ字型チャネル又はハンモック４０’を形成する。Ｕ字型前方膨張ピロー５６’は、Ｕ字型チャネル４０’の上方及び上部前部横断部材２８の下方にある。Ｕ字型ピロー５６’はリターンネットシステム１００の衝突域を画定し、Ｕ字型チャネル４０’はリターンネットシステム１００のリターン域を画定する。ネット３００及びフレーム２００の形状により、ネットシステム１００の衝突域を画定するＵ字型ピロー５６’は、ネットシステム１０のコード６４及びフック５８の使用を必要とすることなく、僅かに後方に角度をつけられる（図１１に示される通り）。しかしながら、衝突域の角度は、コード６４及びフック５８を使用して更に調節又は微調整され得る。
【００４２】
図１２に示される通り、並びに図１８に詳細を示される通り、ネット３００は、四角形パターンにおいて取り付けられ（ｈｕｎｇ  ｏｎ  ａ  ｓｑｕａｒｅ  ｐａｔｔｅｒｎ）、実質的に全体的な衝突域及びネット３００の垂直中心部は、水平方向及び垂直方向に位置合わせされる。衝突域における水平及び垂直位置合わせは、ボール／ディスク５０’を効率的に停止させ、ボール／ディスクが通過し得る四角形の穴の伸張を最小限に抑える。図１２に示される通り、また図１０において詳細に示される通り、Ｕ字型チャネル４０’の対向する端部におけるネット３００の四角形パターンは、菱形になるよう歪められ、チャネル４０’へと落下したボール／ディスク５０’は、リターンネットシステム１００を出るようＵ字型チャネル４０’の中心最下点に向かって案内される。
【００４３】
Ｕ字型チャネル４０’の中心最下点とリターンネットシステム１００を支持する地面又は表面との間の距離は、一組の下部垂直部材３８を互いに向かってあるいは互いから離れて押すことによって調節され得る。一組の下部垂直部材３８を互いに向かって押すことによって、Ｕ字型チャネル４０’の中心最下点と地面との間の距離は低減され（約１インチ（１’’、約２５．４ミリメートル）乃至４インチ（４’’、約１０１．６ミリメートル）分）、ボール／ディスク５０’が回転して戻り得るようにする。他方、一組の下部垂直部材３８を互いから離して押すことによって、この距離は、（約１インチ（１’’、約２５．４ミリメートル）乃至４インチ（４’’、約１０１．６ミリメートル）分）増大され、ボール／ディスク５０’が跳ねて戻り得るようにする。
【００４４】
一実施例においては、ネット３０又は３００は均一な色を備える。他の実施例においては、ネット３０又は３００の異なる部分は異なる色を備える。例えば、ネット３０又は３００のＵ字型ピロー５６又は５６’は、ネット３０又は３００のＵ字型チャネル４０又は４０’とは異なる色を備え得、リターンネットシステム１００の衝突域とリターン域とを夫々区別するようにする。
【００４５】
ネット３０又は３００のパターンの独自の寸法及び形状により、リターンネットシステム１０又は１００は、多種のスポーツのボール／ディスクに対して使用され得る。小さな四角形の穴は、１／２インチ（１／２’’、約１２．７ミリメートル）より大きいボール／ディスクがネット３００を通過することを防止し、故に、リターンネットシステム１０又は１００は、ボール／ディスク／他の投射物を利用する複数の異なるスポーツに対して使用され得る。
【００４６】
本願において図示及び説明される本発明の特徴は、望ましい実施例である。したがって、添付の請求項は、請求項の趣旨内におけるある程度の差異を有する予測不可能な実施例及び開示される変形を対象とするよう意図される、ことが理解される。
【図１】
0005577247.tif 000002
【図２】
0005577247.tif 000003
【図３】
0005577247.tif 000004
【図４】
0005577247.tif 000005
【図５】
0005577247.tif 000006
【図６】
0005577247.tif 000007
【図７】
0005577247.tif 000008
【図８】
0005577247.tif 000009
【図９】
0005577247.tif 000010
【図１０】
0005577247.tif 000011
【図１１】
0005577247.tif 000012
【図１２】
0005577247.tif 000013
【図１３】
0005577247.tif 000014
【図１４】
0005577247.tif 000015
【図１５】
0005577247.tif 000016
【図１６】
0005577247.tif 000017
【図１７】
0005577247.tif 000018
【図１８】
0005577247.tif 000019
【図１９】
0005577247.tif 000020